(57)【要約】【課題】表示パネルにおける表示ムラを、より確実に抑制して、表示品質の向上を図る。【解決手段】表示装置は、画像データに基づき画像を表示する液晶パネル１１２Ａと、液晶パネル１１２Ａを複数のチャネルに分割して駆動する液晶ドライバー１１４とを有する。表示装置は、チャネルのそれぞれと、液晶パネル１１２Ａの水平方向に設定されたポイントとに対応する補正量ＬＵＴを記憶する補正量ＬＵＴ記憶部１６５を備える。さらに、ポイントに表示される画像データを、補正量ＬＵＴに基づいて補正して液晶パネル１１２Ａに入力し、ポイント以外の位置に表示される画像データを、補正量ＬＵＴから補間演算により求めた補正量ＬＵＴに基づいて補正して、液晶パネル１１２Ａに入力する補正部１６７を備える。【選択図】図２
2016085344.tif 000002
【特許請求の範囲】
【請求項１】
画像を表示する表示パネルと、
前記表示パネルを複数のチャネルに分割して駆動する駆動部と、
前記チャネルのそれぞれと、前記表示パネルの水平方向に設定された代表位置とに対応する補正データを記憶する補正データ記憶部と、
前記代表位置に表示される画像データを、前記補正データに基づいて補正して前記表示パネルに入力し、前記代表位置以外の位置に表示される画像データを、前記補正データから補間演算により求めた補間補正データに基づいて補正して、前記表示パネルに入力する補正部と、
を備えることを特徴とする表示装置。
【請求項２】
前記駆動部は前記表示パネルの表示要素に電圧を出力して駆動するものであり、出力電圧の極性を反転させる極性反転を実行し、
前記補正データ記憶部は、前記チャネルのそれぞれと、前記表示パネルの水平方向に設定された代表位置と、前記駆動部の出力電圧の極性とに対応する前記補正データを記憶し、
前記補正部は、画像データを、画像データを表示する際の前記駆動部の出力電圧の極性に対応する前記補正データで補正すること、
を特徴とする請求項１記載の表示装置。
【請求項３】
前記補正データは、画像データを変換するルックアップテーブルであり、
前記補正データ記憶部は前記ルックアップテーブルを記憶すること、を特徴とする請求項１または２記載の表示装置。
【請求項４】
前記補正データ記憶部が記憶する前記補正データを外部の装置により書き込み可能であること、を特徴とする請求項１から３のいずれかに記載の表示装置。
【請求項５】
前記表示パネルはマトリックス状に配置された複数の表示要素を含み、
前記補正部は、それぞれの前記表示要素に表示される画像データを補正して前記表示パネルに入力すること、
を特徴とする請求項１から４のいずれかに記載の表示装置。
【請求項６】
表示パネルに表示される画像データを処理する画像処理装置であって、
前記表示パネルを分割したチャネルのそれぞれと、前記表示パネルの水平方向に設定された代表位置とに対応する補正データを記憶する補正データ記憶部と、
前記代表位置に表示される画像データを、前記補正データに基づいて補正して前記表示パネルに入力し、前記代表位置以外の位置に表示される画像データを、前記補正データから補間演算により求めた補間補正データに基づいて補正して、前記表示パネルに入力する補正部と、
を備えることを特徴とする画像処理装置。
【請求項７】
表示パネルを備える表示装置の制御方法であって、
前記表示パネルを分割したチャネルのそれぞれと、前記表示パネルの水平方向に設定された代表位置とに対応する補正データを記憶し、
前記代表位置に表示される画像データを、前記補正データに基づいて補正して前記表示パネルに入力し、前記代表位置以外の位置に表示される画像データを、前記補正データから補間演算により求めた補間補正データに基づいて補正して、前記表示パネルに入力し、
補正した画像データに基づき前記表示パネルを複数のチャネルに分割して駆動すること、
を特徴とする表示装置の制御方法。
【発明の詳細な説明】
【技術分野】
【０００１】
本発明は、表示装置、画像処理装置、及び、表示装置の制御方法に関する。
【背景技術】
【０００２】
従来、表示パネルを複数のチャネルに分割して駆動し、映像、画像を表示する装置が知られている（例えば、特許文献１参照）。この種の装置では、それぞれのチャネルに出力される信号の出力レベルの差がある場合、表示ムラが発生することが指摘されている。このため、信号の出力レベルを補正する方法が提案された。例えば、特許文献１記載の装置は、表示パネルの画素を水平方向に複数のチャネルに分割して駆動する場合に、各チャネルに出力する画像信号を、複数の基準信号を利用して補正することにより、表示ムラを防止する。
【先行技術文献】
【特許文献】
【０００３】
【特許文献１】特開２０１０−１２２５７７公報
【発明の概要】
【発明が解決しようとする課題】
【０００４】
ところで、液晶表示パネル等の表示パネルには、面内の位置により表示特性の差があり、この表示特性の差に起因して表示ムラが発生することがある。このような表示ムラは、上述したチャネル毎の信号を補正しても対応できなかった。このため、チャネル毎の信号レベルの差による表示ムラを抑制しても、他の原因による表示ムラが発生する可能性があった。
本発明は、上述した事情に鑑みてなされたものであり、表示パネルにおける表示ムラを、より確実に抑制して、表示品質の向上を図ることを目的とする。
【課題を解決するための手段】
【０００５】
上記目的を達成するために、本発明の表示装置は、画像を表示する表示パネルと、前記表示パネルを複数のチャネルに分割して駆動する駆動部と、前記チャネルのそれぞれと、前記表示パネルの水平方向に設定された代表位置とに対応する補正データを記憶する補正データ記憶部と、前記代表位置に表示される画像データを、前記補正データに基づいて補正して前記表示パネルに入力し、前記代表位置以外の位置に表示される画像データを、前記補正データから補間演算により求めた補間補正データに基づいて補正して、前記表示パネルに入力する補正部と、を備えることを特徴とする。
本発明によれば、表示装置が、表示パネルの代表位置に対応する補正データを利用して、画像データに対し、表示パネルのチャネル間の表示ムラと表示パネルの水平方向における表示ムラの両方に対応する補正を行うことができる。これにより、表示ムラをより確実に抑制して表示品質の向上を図ることができる。
【０００６】
本発明は、上記表示装置において、前記駆動部は前記表示パネルの表示要素に電圧を出力して駆動するものであり、出力電圧の極性を反転させる極性反転を実行し、前記補正データ記憶部は、前記チャネルのそれぞれと、前記表示パネルの水平方向に設定された代表位置と、前記駆動部の出力電圧の極性とに対応する前記補正データを記憶し、前記補正部は、画像データを、画像データを表示する際の前記駆動部の出力電圧の極性に対応する前記補正データで補正すること、を特徴とする。
本発明によれば、表示パネルを極性反転方式で駆動する場合に、極性に対応して画像データを補正できる。これにより、表示ムラをより確実に抑制して表示品質の向上を図ることができる。
【０００７】
本発明は、上記表示装置において、前記補正データは、画像データを変換するルックアップテーブルであり、前記補正データ記憶部は前記ルックアップテーブルを記憶すること、を特徴とする。
本発明によれば、ルックアップテーブルの形式の補正データ、または、この補正データを補間演算したデータを利用するので、画像データを補正する処理の負荷を軽くすることができる。
【０００８】
本発明は、上記表示装置において、前記補正データ記憶部が記憶する前記補正データを外部の装置により書き込み可能であること、を特徴とする。
本発明によれば、補正データを外部の装置が書き込むことができるので、例えば、必要に応じて補正データを更新するといった使い方ができる。
【０００９】
本発明は、上記表示装置において、前記表示パネルはマトリックス状に配置された複数の表示要素を含み、前記補正部は、それぞれの前記表示要素に表示される画像データを補正して前記表示パネルに入力すること、を特徴とする。
本発明によれば、マトリックス状に配置された複数の表示要素を複数のチャネルに分割して駆動する構成で、表示パネルのチャネル間の表示ムラと表示パネルの水平方向における表示ムラの両方に対応するように、画像データを補正できる。
【００１０】
また、上記目的を達成するために、本発明は、表示パネルに表示される画像データを処理する画像処理装置であって、前記表示パネルを分割したチャネルのそれぞれと、前記表示パネルの水平方向に設定された代表位置とに対応する補正データを記憶する補正データ記憶部と、前記代表位置に表示される画像データを、前記補正データに基づいて補正して前記表示パネルに入力し、前記代表位置以外の位置に表示される画像データを、前記補正データから補間演算により求めた補間補正データに基づいて補正して、前記表示パネルに入力する補正部と、を備えることを特徴とする。
本発明によれば、画像処理装置が、表示パネルの代表位置に対応するデータを利用して、画像データに対し、表示パネルのチャネル間の表示ムラと表示パネルの水平方向における表示ムラの両方に対応する補正を行うことができる。これにより、表示パネルの表示ムラをより確実に抑制して表示品質の向上を図ることができる。
【００１１】
また、上記目的を達成するために、本発明は、表示パネルを備える表示装置の制御方法であって、前記表示パネルを分割したチャネルのそれぞれと、前記表示パネルの水平方向に設定された代表位置とに対応する補正データを記憶し、前記代表位置に表示される画像データを、前記補正データに基づいて補正して前記表示パネルに入力し、前記代表位置以外の位置に表示される画像データを、前記補正データから補間演算により求めた補間補正データに基づいて補正して、前記表示パネルに入力し、補正した画像データに基づき前記表示パネルを複数のチャネルに分割して駆動すること、を特徴とする。
本発明によれば、表示装置が、表示パネルの代表位置に対応するデータを利用して、画像データに対し、表示パネルのチャネル間の表示ムラと表示パネルの水平方向における表示ムラの両方に対応する補正を行うことができる。これにより、表示パネルの表示ムラをより確実に抑制して表示品質の向上を図ることができる。
【図面の簡単な説明】
【００１２】
【図１】実施形態に係るプロジェクターのブロック図。
【図２】補正部の構成を示すブロック図。
【図３】液晶パネル及び液晶ドライバーの構成図。
【図４】補正量ＬＵＴ記憶部の構成を示す模式図。
【図５】プロジェクターの動作を示すフローチャート。
【発明を実施するための形態】
【００１３】
以下、図面を参照しながら本発明を適用した実施形態について説明する。
図１は、実施形態に係るプロジェクター１００のブロック図である。
プロジェクター１００（表示装置）は、パーソナルコンピューターや各種映像プレーヤー等の外部の画像供給装置２に接続され、この画像供給装置２から入力される画像データに基づき、画像をスクリーンＳＣに投射する。画像供給装置２は、例えば、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等である。スクリーンＳＣは、吊り下げ式や立ち上げ式の幕状のスクリーン、または、壁面等の平らな面である。
【００１４】
プロジェクター１００は、画像供給装置２に接続する画像入力部１２４を備える。画像入力部１２４は、有線または無線で画像供給装置２に接続するインターフェイスである。画像入力部１２４は、例えば、デジタル映像信号が入力されるＤＶＩインターフェイス、ＵＳＢインターフェイス、ＬＡＮインターフェイス等である。また、画像入力部１２４が、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等を備えてもよい。また、画像入力部１２４が、ＨＤＭＩ（登録商標）規格に準拠したＨＤＭＩコネクター等の汎用インターフェイスを備えてもよい。
また、画像入力部１２４は、アナログ映像信号をデジタル画像データに変換するＡ／Ｄ変換回路を備えてもよい。この場合、画像入力部１２４は、ＶＧＡ端子等のアナログ映像端子で画像供給装置２に接続できる。画像入力部１２４は、画像供給装置２から入力されるデジタル画像データを受信して、画像処理部１２５に出力する。
【００１５】
プロジェクター１００は、大きく分けて光学的な画像の形成を行う投射部１１０と、この投射部１１０により表示する画像を電気的に処理する画像処理系とを備えている。
投射部１１０は、光源部１１１、光変調装置１１２及び投射光学系１１３を備える。
光源部１１１は、キセノンランプ、超高圧水銀ランプ、ＬＥＤ（Light Emitting Diode）等からなる光源を有する。光源部１１１は、光源が発した光を光変調装置１１２に導くリフレクター及び補助リフレクターを備えてもよい。光源部１１１は、投射光の光学特性を高めるためのレンズ群（不図示）、偏光板、及び、光源が発した光を減光する調光素子のいずれかを備えてもよい。
【００１６】
光源部１１１には光源駆動部１２２が接続する。光源駆動部１２２は、制御部１３０に制御され、光源部１１１に所定電圧の電源を供給して、光源の点灯及び消灯を制御する。光源駆動部１２２は、光源部１１１にパルス電流を出力して、光源の輝度をＰＷＭ（Pulse Width Modulation）制御してもよい。
【００１７】
光変調装置１１２は、光源部１１１から射出された光を画像データに基づいて変調する。光変調装置１１２は、複数の画素（表示要素）をマトリックス状に配置した液晶パネル１１２Ａを備え、液晶パネル１１２Ａの画素で画像を形成し、この画像によって光源部１１１が発する光を変調する。液晶パネル１１２Ａは、反射型または透過型の液晶表示パネルである。光変調装置１１２は、光源部１１１が発する光を液晶パネル１１２Ａに導く光学部品を備えてもよい。光変調装置１１２及び液晶パネル１１２Ａの構成については後述する。
【００１８】
投射光学系１１３は、投射する画像の拡大・縮小及び焦点の調整を行うズームレンズ、フォーカスの調整を行うフォーカス調整機構等を備えている。投射光学系１１３は、光変調装置１１２で変調された画像光をスクリーンＳＣに投射して、この画像光がスクリーンＳＣで結像する。
【００１９】
プロジェクター１００の画像処理系は、プロジェクター１００を制御する制御部１３０及び他の処理部を備える。画像処理系は、記憶部１５１、画像処理部１２５、フレームメモリー１２６、入力処理部１５３、及び補正処理部１６０（画像処理装置）を含む。
【００２０】
制御部１３０は、図示しないＣＰＵ（Central Processing Unit）、ＲＯＭ（Read Only Memory）、ＲＡＭ（Random Access Memory）等を備える。制御部１３０は、ＣＰＵによって、ＲＯＭに記憶した基本制御プログラム、及び、記憶部１５１に記憶された制御プログラムを実行することにより、プロジェクター１００を制御する。
制御部１３０は、光源駆動部１２２、及び、画像処理部１２５を制御して、画像供給装置２が出力する画像データに基づき、画像をスクリーンＳＣに投射する。
【００２１】
画像処理部１２５は、画像入力部１２４に入力される画像データの解像度変換処理、台形歪み補正処理、カラーモード調整処理等のいずれか、或いは他の処理を含む画像処理を実行する。解像度変換処理は、画像データの解像度を液晶パネル１１２Ａの仕様に合わせて変換する処理である。台形歪み補正処理は、スクリーンＳＣに結像する画像の台形歪みを補償するように、画像を変形させる処理である。カラーモード調整処理は、画像データの色調等を変化させる処理である。
画像処理部１２５は、画像データをもとに１フレームの画像をフレームメモリー１２６に描画して、フレームメモリー１２６の画像に対する処理を行い、処理後の画像のデータをフレームメモリー１２６から読み出して出力する。画像処理部１２５が実行する処理の種類、及び、処理で使用するパラメーターは、制御部１３０が指定する。
【００２２】
記憶部１５１は、フラッシュメモリー、ＥＥＰＲＯＭ等を有する不揮発性の記憶部である。記憶部１５１は、制御部１３０が処理するデータや制御部１３０が実行する制御プログラムを記憶する。
【００２３】
入力処理部１５３は、リモコン受光部１５４及び操作パネル１５５に接続する。リモコン受光部１５４は、リモコン（図示略）が送信する赤外線信号を受光して、リモコンの操作を検出する。操作パネル１５５はスイッチを備え、スイッチ操作に対応する操作信号を入力処理部１５３に出力する。入力処理部１５３は、リモコン受光部１５４が検出するリモコンの操作、及び、操作パネル１５５の操作に対応して、操作データを制御部１３０に出力する。
【００２４】
補正処理部１６０は、画像処理部１２５が処理した画像データに対し、液晶パネル１１２Ａにおける面内の表示ムラを解消するように補正する処理を行い、処理した画像データを光変調装置１１２に出力する。
【００２５】
図２は、補正処理部１６０の構成を示すブロック図である。図２には、補正処理部１６０とともに、画像入力部１２４、画像処理部１２５、及び光変調装置１１２を図示する。また、図３は液晶パネル１１２Ａ及び液晶ドライバー１１４の構成図である。
【００２６】
図２に示すように、光変調装置１１２は、液晶パネル１１２Ａの他に、液晶ドライバー１１４及び表示タイミング発生部１１５を備える。液晶ドライバー１１４及び表示タイミング発生部１１５は、制御部１３０の制御に従って動作し、液晶パネル１１２Ａに画像を描画する。より詳細には、表示タイミング発生部１１５は、制御部１３０の制御に従って、液晶パネル１１２Ａを駆動するクロック（ＣＬＫ）を生成し、液晶ドライバー１１４に出力する。また、表示タイミング発生部１１５は、後述するように液晶パネル１１２Ａの駆動電圧を極性反転するタイミングを指示する極性反転信号（ＩＮＶ）を生成し、液晶ドライバー１１４に出力する。
【００２７】
図３には、本発明の一実施例として、アクティブマトリックス駆動方式の構成を例示する。図３の構成では、複数の画素１１２Ｂが、マトリックス状に並べて配置される。液晶ドライバー１１４は、水平方向（Ｘ方向）に画素を選択して画像データを書き込むＸ方向ドライバー１１４Ａ、及び、垂直方向（Ｙ方向）に画素を選択するＹ方向ドライバー１１４Ｂを有する。
【００２８】
液晶パネル１１２Ａは、アレイ基板（図示せず）を備える。アレイ基板では、Ｘ方向に延びる複数の走査線１０１と、Ｙ方向に延びる複数の信号線１０２とがマトリックス状に配置される。走査線１０１と信号線１０２の交点に、画素（表示要素）１０３が配置される。画素１０３は、例えば、画素電極及びスイッチング素子としての薄膜トランジスタ（ＴＦＴ）により構成される。このＴＦＴのゲート電極は走査線１０１に接続され、ソース電極は信号線１０２に接続され、ドレイン電極は画素電極に接続される。これらがアクティブマトリックス部を構成する。
また、液晶パネル１１２Ａは、アレイ基板に対向する対向電極が形成された対向基板（図示略）を備え、アレイ基板と対向基板との間に、配向膜を介して液晶材料を保持する。
【００２９】
Ｙ方向ドライバー１１４Ｂは、液晶パネル１１２Ａの備える各走査線１０１に接続する。Ｙ方向ドライバー１１４Ｂには、垂直同期信号（ＶＳＹＮＣ）及びクロック（ＣＬＫ）が入力される。Ｙ方向ドライバー１１４Ｂは、垂直同期信号及びクロックに従って、アクティブマトリックス部を垂直方向に走査し、走査線１０１を順次選択する。
【００３０】
Ｘ方向ドライバー１１４Ａは、液晶パネル１１２Ａの各信号線１０２に接続する。Ｘ方向ドライバー１１４Ａには、画像データ（ＤＡＴＡ）、チャネル選択信号（ＣＨ）、水平同期信号（ＨＳＹＮＣ）、極性反転信号（ＩＮＶ）、及びクロック（ＣＬＫ）が入力される。Ｘ方向ドライバー１１４Ａは、水平同期信号及びクロックに基づいてアクティブマトリックス部を水平方向に走査し、信号線１０２を順次選択する。
【００３１】
液晶パネル１１２Ａはチャネル駆動方式を採用する。各信号線１０２は複数のチャネルに分割される。図３は、複数の信号線１０２をＣＨ１〜ＣＨ４の４つのチャネルに分割した例を示す。液晶パネル１１２Ａはチャネル選択信号に従って、画像データに基づく駆動電圧を、チャネル毎に、信号線１０２に出力する。
【００３２】
この構成では、Ｙ方向ドライバー１１４Ｂが走査線１０１を選択し、Ｘ方向ドライバー１１４Ａが信号線１０２を選択することにより、所望の画素１０３に対して、画像データに基づく駆動電圧を送ることができる。この結果、画素１０３に対応する画素電極と対向電極との間に挟まれた領域の液晶のみが、電極間の電界を受けて配列を変え、１画素毎の液晶シャッタとして機能する。
【００３３】
また、Ｘ方向ドライバー１１４Ａは、直流電圧の印加を続けることに起因する液晶パネル１１２Ａの劣化を抑制するため、信号線１０２に印加する駆動電圧の極性を切り替える。Ｘ方向ドライバー１１４Ａは、極性反転信号に従って、信号線１０２の駆動電圧を正極と負極とに切り替える。
【００３４】
なお、液晶パネル１１２Ａは、Ｘ方向ドライバー１１４Ａとともに、プリチャージ駆動回路（図示略）等を備え、各画素１０３にプリチャージ電圧を印加する構成であってもよい。また、液晶パネル１１２ＡがＲ（赤）、Ｇ（緑）、Ｂ（青）の３色に対応する３つのサブ画素でカラー画像を表示する構成としてもよく、この場合、画素１０３は１つのサブ画素を示す。
【００３５】
このように構成される液晶パネル１１２Ａにおいて、Ｘ方向ドライバー１１４Ａ又はＸ方向ドライバー１１４Ａに付属する回路（図示略）の特性により、Ｘ方向ドライバー１１４Ａが信号線１０２に出力する駆動電圧のムラが生じることがある。Ｘ方向ドライバー１１４Ａは、デジタル画像データをアナログ電圧に変換するＤ／Ａ変換回路（図示略）等を、チャネル毎に備える。このＤ／Ａ変換回路の特性にばらつきがあると、Ｘ方向ドライバー１１４Ａの駆動電圧の電圧値が、チャネル毎に異なる電圧値になる。この電圧の差は、チャネルが異なる信号線１０２の間の表示色の差を生み、信号線１０２の方向に沿って、垂直方向の筋状の表示ムラとなって視認される。
そこで、本実施形態では、Ｘ方向ドライバー１１４Ａに入力される画像データに対し、補正処理部１６０が、チャネル毎に補正を行うことで、上述したチャネル間の表示ムラを抑制する。
また、Ｘ方向ドライバー１１４Ａが印加する駆動電圧の極性により、チャネル間の表示ムラの現れ方が異なることがある。このため、補正処理部１６０は、チャネル及び極性に対応するように、画像データを補正する。
【００３６】
また、液晶パネル１１２Ａにおいては面内の表示ムラが発生することがある。この種の表示ムラは、例えば、液晶パネル１１２Ａの中央部と端部とで輝度や色が異なっているように見えるという現象である。本実施形態では、Ｘ方向ドライバー１１４Ａに入力される画像データに対し、補正処理部１６０が、面内の位置に対応するように補正を行い、上述した面内の表示ムラを抑制する。
【００３７】
図２に示すように、補正処理部１６０は、ポイント選択部１６１、チャネル選択部１６２、極性判定部１６３、ＬＵＴ（Lookup Table）選択部１６４、補正量ＬＵＴ記憶部１６５、及び補間処理部１６６を備える。
画像処理部１２５は、ポイント選択部１６１に、上述した画像処理が施された画像データ（ＤＡＴＡ）及び水平同期信号（ＨＳＹＮＣ）を出力する。ポイント選択部１６１は、画像処理部１２５が入力する画像データを、所定バイト単位で取得する。以下の説明では、ポイント選択部１６１が画像データを８バイトずつ取得する場合を例示する。
ポイント選択部１６１は、水平同期信号に基づき、入力された８バイトの画像データが液晶パネル１１２Ａで表示される表示位置を特定する。ポイント選択部１６１が特定する表示位置は水平方向における位置であり、液晶パネル１１２Ａの表示領域のＸ方向に対応するＸ座標、或いは、信号線１０２の番号で表すことができる。
【００３８】
ポイント選択部１６１は、画像データの表示位置を特定した後、表示位置に近いポイントを選択する処理を行う。
液晶パネル１１２Ａには、水平方向において複数の箇所に、予めポイント（代表位置）が設定されている。このポイントは補正処理部１６０が補正を行う基準位置である。本実施形態では、信号線１０２の数を１２８０本とし、液晶パネル１１２Ａに５箇所のポイントを設定する例を説明する。この例では、図３において最も左に位置する信号線１０２の番号が０であり、最も右に位置する信号線１０２の番号が１２７９であり、信号線１０２の番号をＸ座標として表現する。液晶パネル１１２Ａの水平方向に均等に５箇所のポイントを設定すると、ポイントの位置は、それぞれ、Ｘ＝１２８、３８４、６４０、８９６、１１５２となる。
【００３９】
ポイント選択部１６１は、画像データの表示位置のＸ座標、すなわち信号線１０２の番号を特定し、表示位置に近い１個または２個のポイントを選択する。
例えば、表示位置のＸ座標が両端のポイントより外側にある場合、ポイント選択部１６１は１個のポイントを選択する。具体的には、表示位置のＸ座標が１２８未満の場合にはＸ＝１２８のポイントを選択し、表示位置のＸ座標が１１５２より大きい場合はＸ＝１１５２のポイントを選択する。
また、表示位置のＸ座標がポイントのＸ座標と一致する場合、ポイント選択部１６１は、一致するポイントを選択する。
また、表示位置のＸ座標が１２８より大きく１１５２未満であって、表示位置のＸ座標がポイントのＸ座標と一致しない場合、ポイント選択部１６１は、表示位置よりＸ座標が小さいポイントと表示位置よりＸ座標が大きいポイントを１個ずつ選択する。
【００４０】
ポイント選択部１６１は、８バイトの画像データと水平同期信号とをチャネル選択部１６２に出力する。ここで、ポイント選択部１６１は、８バイトの画像データの表示位置を示すデータを、画像データとともにチャネル選択部１６２に出力してもよい。また、ポイント選択部１６１は、選択したポイントを示すデータを出力し、このデータはチャネル選択部１６２や極性判定部１６３をパススルーしてＬＵＴ選択部１６４に入力する。
【００４１】
チャネル選択部１６２は、ポイント選択部１６１が入力する画像データの表示位置に基づき、チャネルを選択する。つまり、この画像データが、Ｘ方向ドライバー１１４Ａが駆動するＣＨ１〜ＣＨ４（図３）のうち、どのチャネルに属するかを選択する。
チャネル選択部１６２は、８バイトの画像データと水平同期信号とを極性判定部１６３に出力する。ここで、チャネル選択部１６２は、８バイトの画像データの表示位置を示すデータを、画像データとともに極性判定部１６３に出力してもよい。また、チャネル選択部１６２は、選択したチャネルを示すデータを出力し、このデータは極性判定部１６３をパススルーしてＬＵＴ選択部１６４に入力する。
【００４２】
極性判定部１６３には、光変調装置１１２の表示タイミング発生部１１５が生成する極性反転信号（ＩＮＶ）が入力される。極性判定部１６３は、チャネル選択部１６２から入力される画像データを、Ｘ方向ドライバー１１４Ａが信号線１０２に書き込むときの駆動電圧の極性を、極性反転信号に基づき判定する。極性判定部１６３は、極性反転信号に基づき判定した極性を示すデータを、ＬＵＴ選択部１６４に出力する。このデータは、例えば、駆動電圧の極性が正極か負極かを示すデータである。
【００４３】
ＬＵＴ選択部１６４には、ポイント選択部１６１が選択したポイントを示すデータ、チャネル選択部１６２が選択したチャネルを示すデータ、及び、極性判定部１６３が判定した駆動電圧の極性を示すデータが入力される。また、ＬＵＴ選択部１６４に画像データが入力されてもよい。また、水平同期信号が入力されてもよい。
ＬＵＴ選択部１６４は、補正量ＬＵＴ記憶部１６５に記憶された複数の補正量ＬＵＴ（補正データ）の中から、補正に使用するＬＵＴを選択して補間処理部１６６に出力する。
【００４４】
図４には補正量ＬＵＴ記憶部１６５の構成を模式的に示す。
補正量ＬＵＴ記憶部１６５は複数の補正量ＬＵＴを記憶する。補正量ＬＵＴは、画像処理部１２５が処理した画像データを、液晶パネル１１２Ａの表示ムラを補償するように変換するＬＵＴであり、本発明の補正データに相当する。
補正量ＬＵＴ記憶部１６５が記憶する各補正量ＬＵＴは、ポイントと、チャネル（ＣＨ）と、駆動電圧の極性とに対応する。例えば、Ｘ＝１２８のポイントに対応する補正量ＬＵＴは、ＬＵＴ１１〜１４、２１〜２４の８個の補正量ＬＵＴである。これら８個の補正量ＬＵＴは、４つのチャネルと駆動電圧の正極と負極に対応する。本実施形態ではポイントの数が５、チャネルの数が４であるから、図４の例では補正量ＬＵＴは４０個となる。
【００４５】
ＬＵＴ選択部１６４は、補正量ＬＵＴ記憶部１６５から、ポイント選択部１６１が選択したポイントの数に対応する数の補正量ＬＵＴを取得する。例えば、ポイント選択部１６１が２個のポイントを選択した場合、ＬＵＴ選択部１６４は２個の補正量ＬＵＴを取得する。ＬＵＴ選択部１６４が取得した補正量ＬＵＴは、補間処理部１６６に出力される。
【００４６】
補間処理部１６６は、ＬＵＴ選択部１６４が取得した補正量ＬＵＴの補間演算をするか否かを判定する。補間処理部１６６は、ポイント選択部１６１が選択したポイントが、画像データの表示位置と一致しない場合に、補間演算をすると判定する。補間処理部１６６は、ＬＵＴ選択部１６４が取得した補正量ＬＵＴの補間演算を行い、新たな補正量ＬＵＴを生成する。
補間演算の手法は種々知られているが、本実施形態では、補間処理部１６６は直線補間処理を行う。補間処理部１６６は、表示位置とは異なる位置のポイントに対応する補正量ＬＵＴに含まれる値を、表示位置のＸ座標を基準として直線補間して、表示位置のＸ座標に対応する値を求める。補間処理部１６６は、求めた値を含む新たな補正量ＬＵＴを作成する。補間処理部１６６が作成する補正量ＬＵＴは、画像データのチャネル及び極性に適合し、かつ、表示位置のＸ座標に適合する。
【００４７】
液晶パネル１１２ＡのＸ方向に設定されたポイント毎に異なる補正量ＬＵＴを記憶し、複数の補正量ＬＵＴを使い分けることで、上述した液晶パネル１１２Ａの面内の表示ムラを抑制できる。言い換えれば、補正量ＬＵＴ記憶部１６５が記憶する補正量ＬＵＴは、液晶パネル１１２Ａにおける水平方向の位置ごとに、面内の表示ムラを補償できる補正量ＬＵＴである。従って、表示位置がポイントの位置と一致する場合、そのポイントに対応する補正量ＬＵＴを用いて画像データを補正すると、面内の表示ムラの影響を効果的に抑制できる。但し、表示位置がポイントの位置と一致しない場合には、面内の表示ムラの状態が異なるので、画像データを補正しても、補正の効果は限定的である。そこで、本実施形態では、補間処理部１６６が、ポイントに対応する補正量ＬＵＴの値を直線補間することにより、表示位置に適した補正量ＬＵＴを作成する。
液晶パネル１１２Ａの面内の表示ムラは水平方向において緩やかに変化し、多くの場合、液晶パネル１１２Ａの中央から端部にかけて一方向に表示状態が変化する。従って、画像データの補正に用いる値を、直線補間（線形補間）して、表示位置のＸ座標に対応する値を求めることで、より適切な補正値を得ることが可能である。
【００４８】
補間処理部１６６は、補間処理により新たな補正量ＬＵＴを作成した場合には、作成した補正量ＬＵＴを補正部１６７に出力する。また、補完処理を行わないと判定した場合は、ＬＵＴ選択部１６４により選択された補正量ＬＵＴを補正部１６７に出力する。
補正部１６７は、画像処理部１２５が処理した画像データに対し、補間処理部１６６が入力する補正量ＬＵＴに基づく補正処理を実行し、処理後の画像データを光変調装置１１２に出力する。
【００４９】
このように、補正処理部１６０は、画像データを、表示位置における面内の表示ムラ、チャネル毎の表示ムラ、及び、極性による表示ムラの現れ方の違いに対応して、適切に補正する。従って、液晶パネル１１２Ａの表示品質を高めることができ、スクリーンＳＣの投射画像の表示品質の向上を図ることができる。
【００５０】
図５は、プロジェクター１００の動作を示すフローチャートであり、補正処理部１６０の動作をフローチャートとして示す。
まず、ポイント選択部１６１が、処理対象の画像データを取得する（ステップＳ１１）。ポイント選択部１６１が取得する画像データの容量は、例えば、液晶ドライバー１１４が１回の動作で信号線１０２に書き込むデータの量に対応して、予め設定する。ポイント選択部１６１は、取得した画像データの表示位置を特定して、表示位置に近いポイントを選択する（ステップＳ１２）。
次に、チャネル選択部１６２が、処理対象の画像データをＸ方向ドライバー１１４Ａが書き込むチャネルを選択する（ステップＳ１３）。さらに、Ｘ方向ドライバー１１４Ａが、処理対象の画像データに基づく駆動電圧を書き込むときの印加電圧の極性を、極性判定部１６３が判定する（ステップＳ１４）。
【００５１】
続いて、ステップＳ１２で選択したポイント、ステップＳ１３で選択したチャネル、及び、ステップＳ１４で判定した極性に対応する補正量ＬＵＴを、ＬＵＴ選択部１６４が選択する（ステップＳ１５）。
補間処理部１６６が、ＬＵＴ選択部１６４が選択した補正量ＬＵＴの補間処理を行うか否かを判定する（ステップＳ１６）。補完処理を行う場合（ステップＳ１６；Ｙｅｓ）、補間処理部１６６は、直線補間処理により新たな補正量ＬＵＴを作成し（ステップＳ１７）、ステップＳ１８に移行する。補完処理を行わない場合（ステップＳ１６；Ｎｏ）、補間処理部１６６は、そのままステップＳ１８に移行する。
【００５２】
ステップＳ１８で、補正部１６７は、ＬＵＴ選択部１６４が選択した補正量ＬＵＴ、または、補間処理部１６６が補完処理で生成した補正量ＬＵＴに基づいて画像データを補正する（ステップＳ１８）。これにより、画像データが、画像データの表示位置、チャネル、および極性に対応する最適な補正量ＬＵＴにより補正される。
【００５３】
補正量ＬＵＴ記憶部１６５が記憶する補正量ＬＵＴは、Ｉ／Ｆ部１５６が接続する制御装置３により、追加し、或いは、書き換えることができる。例えば、記憶部１５１に記憶されるプロジェクター１００の制御プログラムの書き換え時に、ＬＵＴを追加、或いは更新できる。プロジェクター１００の制御プログラムの書き換えは、いわゆる、ファームウェアアップデートとして実行できる。従って、補正量ＬＵＴ記憶部１６５に記憶される補正量ＬＵＴを適宜、更新できる。また、液晶パネル１１２Ａに設定するポイントの数、及び／またはポイントのＸ座標を変更することもできる。これにより、液晶ドライバー１１４や液晶パネル１１２Ａの特性の経時変化等に対応して、補正量ＬＵＴを最新の状態にすることができる。
【００５４】
以上説明したように、本発明を適用した実施形態に係るプロジェクター１００は、画像データに基づき画像を表示する液晶パネル１１２Ａと、液晶パネル１１２Ａを複数のチャネルに分割して駆動する液晶ドライバー１１４とを有する。プロジェクター１００は、チャネルのそれぞれと、液晶パネル１１２Ａの水平方向に設定されたポイントとに対応する補正量ＬＵＴを記憶する補正量ＬＵＴ記憶部１６５を備える。さらに、ポイントに表示される画像データを、補正量ＬＵＴに基づいて補正して液晶パネル１１２Ａに入力し、ポイント以外の位置に表示される画像データを、補正量ＬＵＴから補間演算により求めた補正量ＬＵＴに基づいて補正して、液晶パネル１１２Ａに入力する補正部１６７を備える。このため、プロジェクター１００が、液晶パネル１１２Ａのポイントに対応する補正量ＬＵＴを利用して、画像データに対し、液晶パネル１１２Ａのチャネル間の表示ムラと液晶パネル１１２Ａの水平方向における表示ムラの両方に対応する補正を行うことができる。これにより、表示ムラをより確実に抑制して表示品質の向上を図ることができる。
【００５５】
また、液晶ドライバー１１４は液晶パネル１１２Ａの表示要素に電圧を出力して駆動するものであり、出力電圧の極性を反転させる極性反転を実行する。補正量ＬＵＴ記憶部１６５は、チャネルのそれぞれと、液晶パネル１１２Ａの水平方向に設定されたポイントと、液晶ドライバー１１４の出力電圧の極性とに対応する補正量ＬＵＴを記憶する。補正部１６７は、画像データを、画像データを表示する際の液晶ドライバー１１４の出力電圧の極性に対応する補正量ＬＵＴで補正する。このため、プロジェクター１００は、液晶パネル１１２Ａを極性反転方式で駆動する場合に、極性に対応して画像データを補正できる。これにより、表示ムラをより確実に抑制して表示品質の向上を図ることができる。
【００５６】
また、補正部１６７が補正に用いるデータとして、画像データを変換するルックアップテーブルである補正量ＬＵＴを利用するので、画像データを補正する処理の負荷を軽くすることができる。
また、補正量ＬＵＴ記憶部１６５が記憶する補正量ＬＵＴを、外部の装置である制御装置３により書き込み可能であるため、例えば、必要に応じて補正量ＬＵＴを更新するといった使い方ができる。
さらに、液晶パネル１１２Ａはマトリックス状に配置された複数の画素１０３を含み、補正部１６７は、それぞれの画素１０３に表示される画像データを補正して液晶パネル１１２Ａに入力する。つまり、マトリックス状に配置された複数の画素１０３を複数のチャネルに分割して駆動する構成で、液晶パネル１１２Ａのチャネル間の表示ムラと液晶パネル１１２Ａの水平方向における表示ムラの両方に対応するように、画像データを補正できる。
【００５７】
なお、上述した実施形態は本発明を適用した具体的態様の例に過ぎず、本発明を限定するものではなく、上記実施形態とは異なる態様として本発明を適用することも可能である。例えば、上記実施形態では、液晶パネル１１２Ａにおける表示位置に対応して設定されたポイントと、チャネルと、駆動電圧の極性とに対応する補正量ＬＵＴを用いて、補正部１６７が画像データを補正する例を説明した。本発明はこれに限定されず、例えば、ポイントに対応する補正データと、チャネルに対応する補正データと、駆動電圧の極性に対応する補正データとを、それぞれ、補正量ＬＵＴ記憶部１６５に記憶してもよい。そして、補正部１６７が、画像データに近いポイントに対応する補正データと、画像データのチャネルに対応する補正データと、画像データの書き込み時の極性に対応する補正データとをそれぞれ取得して、補正を行ってもよい。この場合、補正部１６７は、複数の補正データを反映するように画像データを補正すればよい。また、画像データの表示位置がポイントと一致しない場合は、画像データに近いポイントに対応する補正データを直線補間して、新たな補正データを生成すればよい。このように、補正データの具体的構成は任意であり、１つの補正データが、ポイント、チャネル、及び極性の各要素に対応している必要はない。また、ＬＵＴの形態でない補正データを用いることも、勿論可能である。
【００５８】
また、例えば、上記実施形態では、アクティブマトリックス駆動方式の液晶パネル１１２Ａを例に挙げて説明したが、単純マトリックス駆動方式等の他の駆動方式を採る液晶パネルに本発明を適用することも、勿論可能である。また、上記実施形態では、スクリーンＳＣの前方から投射するフロントプロジェクション型のプロジェクター１００を表示装置の一例として示したが、本発明はこれに限定されない。例えば、スクリーンＳＣの背面側から投射するリアプロジェクション（背面投射）型のプロジェクターを表示装置として採用できる。また、有機ＥＬ（Electro Luminescence）ディスプレイ、プラズマディスプレイ、ＳＥＤ（Surface-conduction Electron-emitter Display）等、表示パネルを有し、表示パネルに電圧を印加して表示する表示装置であれば、本発明を適用できる。
また、上記実施形態では、画像を表示するプロジェクター１００が備える補正処理部１６０が、本発明の画像処理装置として機能する構成を例に挙げて説明したが、本発明はこれに限定されない。プロジェクター１００を含む表示装置とは別体で構成された画像処理装置が、補正処理部１６０として画像データを補正してもよい。
【００５９】
また、図１及び図２に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００の他の各部の具体的な細部構成についても、本発明の趣旨を逸脱しない範囲で任意に変更可能である。
【符号の説明】
【００６０】
１００…プロジェクター（表示装置）、１０１…走査線、１０２…信号線、１０３…画素（表示要素）、１１０…表示部、１１２…光変調装置、１１２Ａ…液晶パネル（表示パネル）、１１４…液晶ドライバー、１１４Ａ…Ｘ方向ドライバー、１１４Ｂ…Ｙ方向ドライバー、１１５…表示タイミング発生部、１２５…画像処理部、１３０…制御部、１６０…補正処理部（画像処理装置）、１６１…ポイント選択部、１６２…チャネル選択部、１６３…極性判定部、１６４…ＬＵＴ選択部、１６５…補正量ＬＵＴ記憶部（補正データ記憶部）、１６６…補間処理部、１６７…補正部、ＳＣ…スクリーン。
【図１】
2016085344.tif 000003
【図２】
2016085344.tif 000004
【図３】
2016085344.tif 000005
【図４】
2016085344.tif 000006
【図５】
2016085344.tif 000007